(57)【要約】      （修正有）【課題】複数の敷寝具を並置することで、敷寝具をその幅を広くして使用する際に、隣り合う敷寝具の間に生ずる凹陥部をなくし、睡眠環境を安定した良好なものとする敷寝具カバーを提供する。【解決手段】並置した敷寝具２を覆う表裏側地６，７よりなる敷寝具カバー１であって、並置した敷寝具２，２が互いに接触する部位の上位に位置する表側地６及び又は下位に位置する裏側地７に小袋体５を設け、該小袋体５に詰物４を封入し、並置した敷寝具２，２の接触部位に生ずる間隙空間を小袋体５により充填し、並置した敷寝具２，２の接触部位を覆う表側地６及び又は裏側地７を平面としてなる。【選択図】図４
0003170232.tif 000002
【実用新案登録請求の範囲】
【請求項１】
並置した敷寝具を覆う表裏側地よりなる敷寝具カバーであって、並置した敷寝具が互いに接触する部位の上位に位置する表側地及び又は下位に位置する裏側地に小袋体を設け、上記小袋体に詰物を封入し、並置した敷寝具の接触部位に生ずる間隙空間を前記小袋体により充填し、並置した敷寝具の接触部位を覆う表側地及び又は裏側地を平面としたことを特徴とする敷寝具カバー。
【請求項２】
隣接して設けた敷寝具を覆った敷寝具カバーの、前記隣接する敷寝具の接触部位の上位に位置し、敷寝具カバーの上側地に設けた小袋体と、前記接触部位の下位に位置する、下側地又は下側地に設けた小袋体との間に仕切り部材を設けたことを特徴とする請求項１記載の敷寝具カバー。
【請求項３】
敷寝具カバーには、敷寝具カバーをその下部に敷くマットレス等と固定するための係留め部材を設けたことを特徴とする請求項１記載の敷寝具カバー。 
【考案の詳細な説明】
【技術分野】
【０００１】
本考案は、敷布団等の敷寝具を２枚並置して幅の広い敷寝具として使用するとき、２枚の寝具の接触部位の構成が原因で生ずる凹陥部の存在で寝具の使い心地を悪くするようなことを無くした敷寝具カバーである。
【背景技術】
【０００２】
就寝時に使用する敷布団等の敷寝具は普通一人用のシングルサイズか或はそれよりも若干幅の広い二人用のダブルサイズのものとされているが、多人数で横になろうとする場合などには、シングルサイズの敷寝具を並置して敷き並べ布団幅を増やし、その上にシーツを拡げ就寝するようなことが行われ、このような用途に用いることが出来る敷布団用のカバーが知られている（特許文献１参照）。
【０００３】
即ち、２枚の敷布団をその側縁部を接して並べ、それを連結要素で一体化し、前記一体化した敷寝具の幅を有し、端縁に袋部を形成した敷カバーの前記袋部を一体化した敷布団の頭部側の端部にかぶせ、敷カバーの他端を敷寝具下部に巻き込み敷寝具に係合固定することによって、２枚の並べた敷寝具を１枚のカバーによって被うものである。
【０００４】
然し、この並べた敷寝具をカバーで被う手段は敷寝具の固定という点からは効果を発揮するかも知れないが、寝心地の点から見ると充分とは云えない点を見出すことが出来る。それは、敷寝具の縁部は大体において上側地と下側地を合わせて一体に縫合し端縁部が円弧状をなし最も突き出た部位になっており、その最も突き出た端縁部が２枚の敷寝具を並べた時に接し、そこにシーツを掛けるとその端縁部の上下には空隙部が生じることになり、就寝者が、たまたまその位置に横たわっていると、就寝者はその空隙を押しつぶすことになり、かつ、布団の凹凸を直接身体に感じ極めて寝心地の悪いものとなる。
【先行技術文献】
【特許文献】
【０００５】
【特許文献１】特開２００３−２７５０６２号公報
【考案の概要】
【考案が解決しようとする課題】
【０００６】
本考案、敷寝具カバーは、上記の点に鑑みて、複数の敷寝具を並置することにより、敷寝具をその幅を広くして使用する際に隣り合う敷寝具の間に生ずる凹陥部をなくし、睡眠環境を安定した良好なものとすることを目的としている。
【課題を解決するための手段】
【０００７】
請求項１記載の敷寝具カバーは、並置した敷寝具を覆う表裏側地よりなる敷寝具カバーであって、並置した敷寝具が互いに接触する部位の上位に位置する表側地及び又は下位に位置する裏側地に小袋体を設け、上記小袋体に詰物を封入し、並置した敷寝具の接触部位に生ずる間隙空間を前記小袋体により充填し、並置した敷寝具の接触部位を覆う表側地及び又は裏側地を平面としてなる。
請求項２記載の敷寝具カバーは、隣接して設けた敷寝具の接触部位の上位に位置し、敷寝具カバーの上側地に設けた小袋体と、下側地又は下側地に設けた小袋体との間に仕切り部材を設けてなる。
請求項３記載の敷寝具カバーには、敷寝具カバーをその下部に敷くマットレス等と固定するための係留め部材を設けている。
【考案の効果】
【０００８】
複数の敷寝具を並べて多数の就寝者が横になるような場合に、隣接する敷寝具が互いにその端縁部を接して位置することになる。
然し、一般的に敷寝具の端縁部分は、敷寝具の上側地と下側地とが引き寄せられて該部で袋状に縫合されているために、敷寝具端縁部は縦断面が円弧状をなしており、２枚の敷寝具が並置され、隣接する２枚の敷寝具の端部が接すると該部に山形の間隙空間が生じ布団が凹み、そのために極めて寝心地を悪くする。
【０００９】
これに対応し、上記間隙空間を埋める手段を講じたのが、本考案敷寝具カバーで、並置した敷寝具を覆う表裏側地よりなる敷寝具カバーであって、並置した敷寝具が互いに接触する部位の上位に位置する表側地及び又は下位に位置する裏側地に小袋体を設け、上記小袋体に詰物を封入し、並置した敷寝具の接触部位に生ずる間隙空間を前記小袋体により充填し、並置した敷寝具の接触部位を覆う表側地及び又は裏側地を平面としたために、並置した敷寝具の接触部位に生ずる凹陥部を小袋体によって埋め平面とすることが出来るために接触する布団との接触部位ではあっても布団地表面が平面を保ち、布団中央部と同様な寝心地を得ることが出来る。
【００１０】
また、本考案敷寝具カバーにあっては、隣接して設けた敷寝具を覆った敷寝具カバーの、前記隣接する敷寝具の接触部位の上位に位置し、敷寝具カバーの上側地に設けた小袋体と、前記接触部位の下位に位置する下側地又は下側地に設けた小袋体との間に仕切り部材を設けたため、仕切り部材によって、その両側に位置する敷寝具の移動が阻止され、左右の敷寝具が移動して一部が重なり凹凸を生じるという事態を生じない。
【００１１】
本考案敷寝具カバーにあっては、敷寝具カバーをその下部に敷くマットレス等と固定するための係留め部材を設けたために、敷寝具とマットレスを重ねてその高さが高くなっても係留め部材によって、マットレス上の敷寝具の移動が止められ安定した使用が出来る。
尚、明細書中に敷寝具カバーと説明した場合、敷寝具には、敷布団のみならず、敷寝具としての用途に使用されたマットレスの如き弾褥体をも含むものである。
【図面の簡単な説明】
【００１２】
【図１】本考案敷寝具カバーの使用状態を示す平面図。
【図２】図１におけるII−II線断面図。
【図３】図１におけるIII−III断面図。
【図４】図１におけるIV−IV線断面図。
【図５】Ａは２枚の敷寝具を突き合わせ部分において一方の敷寝具を取り去った状態を示す第１の例の側面図。Ｂは同じく第２の例の側面図。
【図６】敷寝具カバーでくるんだ敷寝具とマットレスとを重ねた状態を示し、Ａは平面図、Ｂは係留め部材として面ファスナーを使用した正面図、Ｃは係留め部材として弾性帯状体を敷寝具カバーのコーナー部に使用した正面図。
【図７】従来の敷寝具を並置した際に敷寝具間に生ずる凹陥部を示す断面図。
【考案を実施するための形態】
【００１３】
本考案敷寝具カバー１の実施の形態を図面と共に説明する。
本考案敷寝具カバー１は、小形のシングルサイズ等のいわば小形の敷寝具（敷布団，マットレス等）２，２を並べてダブルサイズの如き大形の布団として複数の人が使用出来るようにした場合に生ずる、隣接する敷寝具２，２間の凹陥部３（図７に図示）を原因とする就寝時の不快感をなくすために、図３，４に示す如く、並置した就寝時の隣接敷寝具２，２間を覆う部位の敷寝具カバー１に寝具間の凹陥部３を埋めるための詰物４を充填した小袋体５を設けている。
【００１４】
その詳細を図３，図４に示す。この例は２枚の敷寝具２，２を並置し，それを敷寝具カバー１に入れたもので、敷寝具カバー１は並置した２枚の敷寝具２，２をカバー出来る大きさの表側地６と裏側地７とよりなる袋状のものとし、敷寝具２，２の長さ方向、即ち就寝者の身長方向には、余裕を持った長さとし、余剰部分８は重ねて敷寝具カバー１の裏側地側に折り返している。  
【００１５】
敷寝具カバー１内において隣接する敷寝具２，２が接する部位の表裏側地６，７により作られた後述の小袋体５，５間には仕切部材９を縫着等により設けている。仕切部材９は図５Ａに示す如き短冊状をなした短片を小袋体５，５を作る表側地６と裏側地７との間に差し渡した状態で複数枚間隙を有して配したもの、或は図５Ｂに示す如き帯状体を寝具の長手方向に沿って表側地６と裏側地７とを連結する状態で設けたもの等がある。
仕切部材９を設ける理由は、敷寝具カバー内に入れた敷寝具２がカバー１内で自在に移動して、重なり合ったりし、詰物の平面性を保つことが出来なくなるような事態を防止するためである。
【００１６】
そして、仕切部材９を縫着した部位の敷寝具カバー１の表側地６及び裏側地７には、寝具の身長方向に延びる帯状の帯状の袋側地１０を縫着して図３に示す如く断面を三角形状とした小袋体５を形成する。袋側地１０の一部には図１に示す如く必要に応じ切込１１及び、該切込１１を囲うように筒状生地よりなる詰物挿入手段１２を設け、詰物挿入手段１２から小袋体５内に詰物４を出し入れし、小袋体５内の詰物４の量を適宜調節することを可能とする。然し、小袋体５の内容量は特に大なるものではないので敷寝具カバー１の縫製時に小袋体５を形成する際に適量の詰物４を小袋体５に封入するようにしても差し支えない。切込１１を有する際は、詰物４は切込１１から筒状生地を通って小袋体５内に詰められる。所定量の詰物４が小袋体５内に詰められると筒状の詰物挿入手段１２は偏平に押しつぶされること及び面ファスナー１３によって開口が閉じられ詰物４が小袋体５の外部に出るようなことはない。詰物４を封じ込む量は、敷寝具２，２の上面を覆う敷寝具カバー１の表側地６が敷寝具２，２の間に生ずる凹陥部３においてもほぼ平面を保つことが出来る程度の量を封入するのが好ましい。
【００１７】
敷寝具２，２の下面敷寝具カバー１の裏側地７に生ずる凹陥部部分においても同様に小袋体５を構成する。
敷寝具カバー１の、就寝者身長方向に延びる両側縁にはファスナー１５が設けてある。ファスナー１５を開くことによって敷寝具カバー１の左右両側の袋体に直接敷寝具を挿入することが出来る。
【００１８】
上記の如く構成された敷寝具カバー１を使用するに当たっては、先ず図１に示す敷寝具カバー１の両側縁のファスナー１５，１５を開き、敷寝具カバー１の両側縁から敷寝具２をカバー１中央に仕切部材９に接するまで押し込み、位置を固定しファスナー１５，１５を閉じる。
次いで、ほぼ仕切部材９の上下に位置する小袋体５の詰物挿入手段１２の面ファスナー１３を開き筒状の詰物挿入手段１２を通して、小袋体５内部に詰物４を封入する。その量は、図３に示す如く、小袋体５の袋側地１０が、それと隣接する敷寝具２，２を覆う敷寝具カバー１とほぼ同一面となる程度の高さまでとする。
【００１９】
図３に示した小袋体５は敷寝具カバー１の表側地６と裏側地７との双方に設けてあるので、実際の使用時には表側裏側何れかの詰物の充填量を変化させて就寝者の好みに応じた硬さ或は形状とすることが出来るのは勿論である。
敷寝具カバーをした敷寝具では布団の高さ（厚さ）に満足出来ないという場合には、図６に示す如く敷寝具２の下位にマットレス１６等を敷き込むことが出来るが、その際にマットレス１６などにずれが生ずるのを防止するため、裏面の四隅に弾性を有する帯状体１７或は面ファスナー１３等の係留手段１７を設けることも可能である。
【産業上の利用可能性】
【００２０】
本考案にあっては、寝具の幅を広くして使用する目的で、隣接して設置した敷寝具を密接して敷き並べた場合に、隣接する寝具間の表面に生ずる凹凸を無くし敷寝具の平面状体を保つために、隣接する敷寝具間に詰物を封入した小袋体を配したが、前記詰物により平面を保つと共に、例えば詰物に吸湿性を有する素材を封入する、或は発香性材料を封入することで寝床内環境を良好に保つようなことも可能である。
【符号の説明】
【００２１】
１  敷寝具カバー    
２  敷寝具  
３  凹陥部    
４  詰物  
５  小袋体
６  表側地
７  裏側地
８  余剰部分
９  仕切部材
１０  袋側地
１１  切込
１２  詰物挿入手段
１３  面ファスナー
１４  側縁
１５  ファスナー
１６  マットレス
１７  係留手段  
【図１】
0003170232.tif 000003
【図２】
0003170232.tif 000004
【図３】
0003170232.tif 000005
【図４】
0003170232.tif 000006
【図５】
0003170232.tif 000007
【図６】
0003170232.tif 000008
【図７】
0003170232.tif 000009